(57)【特許請求の範囲】
【請求項１】
有機系の紫外線吸収剤と超微粒子金属酸化物による無機系の紫外線吸収剤とを併用して練り込んで形成される透明の熱可塑性合成樹脂フィルムよりなる袋本体の開口部側に、遮光性を有しそれぞれ若しくは何れか一方の紫外線吸収剤を前記袋本体に対する混入割合より低減させて練り込んで形成される着色合成樹脂よりなるチャックを接着一体化したことを特徴とする合成樹脂製チャック付の袋体。
【請求項２】
有機系の紫外線吸収剤と超微粒子金属酸化物による無機系の紫外線吸収剤とを併用して練り込んで形成される透明の熱可塑性合成樹脂フィルムよりなる袋本体の開口部側に、遮光性を有し何れか一方の紫外線吸収剤を非混入とし、何れか他方の紫外線吸収剤は前記袋本体に対する混入割合と同等若しくは低減させて練り込んで形成される着色合成樹脂よりなるチャックを接着一体化したことを特徴とする合成樹脂製チャック付の袋体。
【請求項３】
前記請求項１乃至請求項２に記載の合成樹脂製チャック付の袋体において、チャック有する袋口の一方の口端縁を他方の口端縁よりも長く突出させて段差を形成し且つ前記他方の口端縁に厚肉条を設け、前記チャック並びに厚肉条を遮光性を有し紫外線吸収剤を適用／非適用した着色合成樹脂により形成したことを特徴とする合成樹脂製チャック付の袋体。
【請求項４】
有機系の紫外線吸収剤と超微粒子金属酸化物による無機系の紫外線吸収剤とを併用して練り込んで形成される透明の熱可塑性合成樹脂フィルムよりなる袋本体の開口部側に、何れか一方若しくはそれぞれの紫外線吸収剤を前記袋本体に対する混入割合より低減させて練り込んで形成される透明の合成樹脂よりなるチャックを接着一体化したことを特徴とする合成樹脂製チャック付の袋体。
【発明の詳細な説明】
【０００１】
【発明の属する技術分野】
本発明は、包入内容品に対し紫外線による変質防止機能を持った合成樹脂製チャック付の袋体に関するものである。
【０００２】
【従来の技術】
食品、医薬品、工業薬品、農薬等は紫外線による変質を防止した包装用資材によって内容品を紫外線から保護することが要求される。内容品を紫外線から保護できるような包装用資材としては、着色遮光性フィルム又はアルミ箔層を設けたフィルムあるいは紫外線吸収剤を混入したフィルムによる合成樹脂製袋体が一般に採用されている。
【０００３】
【発明が解決しようとする課題】
着色遮光性フィルム又はアルミ箔層を設けたフィルムによる合成樹脂製袋体では紫外線をカットするが、その反面袋体外部より内容品が透視できない不都合がある。また、紫外線吸収剤を混入した透明フィルムによる合成樹脂製袋体では袋体外部より内容品を透視することが可能であるが、チャック付袋体への適用を考えた場合には次のような問題点を有する。
【０００４】
すなわち、紫外線防止効果を有するチャック付袋体としては、当然紫外線を防止する機能と、チャック本来の雌雄爪咬み合い機能、密封機能等を満足するものが要求されるが、袋本体フィルムとチャックとに同等割合で紫外線吸収剤が混入されることにより、袋本体並びにチャック共に紫外線を防止する機能については然程問題なく満足されるが、チャック本来の機能については必ずしも満足とは言えない面が出てくる。そして、ひいては紫外線を防止する機能についても問題が出てくることが考えられる。
【０００５】
すなわち、チャックを構成する素材としては最適化された素材中に所定割合で混入される紫外線吸収剤は、程度の差こそあれチャック機能を低下させる恐れがあり、具体的には嵌合強度が低下したり、或いはこれとは逆に嵌合強度が必要以上に強くなってしまったり、チャック雌雄の密着や咬み合わせが甘くなったり、咬み合わせ部分の適度の剛性が失われて損傷し易くなったり等の支障を生じる恐れが出てくる。
【０００６】
紫外線吸収剤としては、ベンゾトリアゾール系、ベンゾフェノン系、サルチル酸系等の有機化合物による有機系の紫外線吸収剤や、酸化チタン、酸化亜鉛、酸化鉄等の超微粒子の金属酸化物による無機系の紫外線吸収剤（紫外線遮断剤）が適用されるが、それぞれ単独で適用するよりは比較的広い範囲で紫外線の透過を効果的に抑えることが出来るという理由により、有機系の紫外線吸収剤と無機系の紫外線吸収剤とを併用することも一般的となっている。このように超微粒子の金属酸化物による無機系の紫外線吸収剤をチャック部分にも適用しようとする場合、また、別の問題が発生する。
【０００７】
すなわち、前記金属酸化物による紫外線吸収剤をチャック部分にも適用した場合には、これが超微粒子ではあっても硬質物であり、これが研磨剤として作用することによって次第にチャックを成形するダイスを磨耗し、チャックの雌雄爪の成形精度が劣化され、チャックの雌雄爪の咬合体勢にズレが生じて円滑な咬み合わせが出来なくなったり、前述のように嵌合強度が低下したり、あるいはこれとは逆に嵌合強度が必要以上に強くなってしまったり、チャック雌雄の密着や咬み合わせが甘くなったりしてチャック機能を低下させる恐れがあり、また、これによってチャック成形ダイスの寿命が短くなり袋体の製造コストを高くする要因となる。
【０００８】
紫外線を遮断する袋体は、光学的に有害とされている波長が２８０〜４００ｎｍの紫外線の透過率を１０％以下に抑えるようにすることが望ましい。チャック付袋体で袋本体のフィルムとチャックとを前記紫外線の透過率を１０％以下に抑えるよう紫外線吸収剤の混入割合を袋本体のフィルムとチャックの何れも同等割合とした場合は、チャックにおいては上記のようなチャック本来の機能に弊害をもたらし、また、チャック本来の機能に弊害をもたらさないようチャック側を基準にした紫外線吸収剤の混入割合を袋本体のフィルムとチャックの何れも同等割合とした場合は、チャック本来の機能は確保されるが、袋本体の紫外線カットが低下して内容品保護の目的を達成することが出来ない問題がある。
【０００９】
本発明の目的は、上記のような問題点を解消し、チャック本来の嵌合機能、密封機能等を満足すると共に、より効果的な紫外線を防止する機能を備えたチャック付の合成樹脂製袋体を提供することである。
【００１０】
【課題を解決するための手段】
上記の目的を達成するための本発明は、請求項１に記載の通り、有機系の紫外線吸収剤と超微粒子金属酸化物による無機系の紫外線吸収剤とを併用して練り込んで形成される透明の熱可塑性合成樹脂フィルムよりなる袋本体の開口部側に、遮光性を有しそれぞれ若しくは何れか一方の紫外線吸収剤を前記袋本体に対する混入割合より低減させて練り込んで形成される着色合成樹脂よりなるチャックを接着一体化したことを特徴とするものである。
【００１１】
請求項２に記載の通り、有機系の紫外線吸収剤と超微粒子金属酸化物による無機系の紫外線吸収剤とを併用して練り込んで形成される透明の熱可塑性合成樹脂フィルムよりなる袋本体の開口部側に、遮光性を有し何れか一方の紫外線吸収剤を非混入とし、何れか他方の紫外線吸収剤は前記袋本体に対する混入割合と同等若しくは低減させて練り込んで形成される着色合成樹脂よりなるチャックを接着一体化したことを特徴とするものである。
【００１２】
請求項３に記載の通り、前記請求項１乃至請求項２に記載の合成樹脂製チャック付の袋体において、チャックを有する袋口の一方の口端縁を他方の口端縁よりも長く突出させて段差を形成し且つ前記他方の口端縁に厚肉条を設け、前記チャック並びに厚肉条を遮光性を有し紫外線吸収剤を適用／非適用した着色合成樹脂により形成したことを特徴とするものである。
【００１３】
請求項４に記載の通り、有機系の紫外線吸収剤と超微粒子金属酸化物による無機系の紫外線吸収剤とを併用して練り込んで形成される透明の熱可塑性合成樹脂フィルムよりなる袋本体の開口部側に、何れか一方若しくはそれぞれの紫外線吸収剤を前記袋本体に対する混入割合より低減させて練り込んで形成される透明の合成樹脂よりなるチャックを接着一体化したことを特徴とするものである。
【００１４】
【発明の実施の形態】
以下本発明の実施の形態を図面に基づいて説明する。
【実施例１】
図１及び図２において１ａは本発明の実施例１を示す合成樹脂製チャック付の袋体である。２は両側端がサイドシールされた袋本体であり、有機系の紫外線吸収剤と超微粒子金属酸化物による無機系の紫外線吸収剤とを併用して練り込んで形成される透明の熱可塑性合成樹脂フィルムよりなる。具体的にはたとえばベンゾトリアゾール系の有機化合物と超微粒子酸化チタンとを併用し、低密度ポリエチレン、ポリプロピレン等の熱可塑性合成樹脂に混ぜられて、フィルム成形したものである。底部は折り返し若しくは接着されており、袋本体２の開口部３には雌雄爪よりなるチャック4が接着一体化されている。このチャック4もまた前記袋本体２と同様低密度ポリエチレン、ポリプロピレン等の熱可塑性合成樹脂により形成されるものである。
【００１５】
上記実施例１の構造による合成樹脂製チャック付袋体１ａにおいては、袋本体２は透明であるから内容品は袋本体２の外部から透視が可能であり、その上紫外線吸収剤を練り込んであるため紫外線がカットされ内容品を紫外線から保護される。
【００１６】
前記チャック４について遮光性を有しそれぞれ若しくは何れか一方の紫外線吸収剤を前記袋本体２に対する混入割合より低減させて練り込んで形成される着色合成樹脂よりなるものである。
【００１７】
このチャック４については、チャックにとって好ましくないそれぞれ若しくは何れか一方の紫外線吸収剤の適用が袋本体２より低減されることになるが、着色合成樹脂による遮光性と紫外線吸収剤との相乗作用によって、より一層チャック４部分からの紫外線の入光を遮断することができるものである。また、チャックにとって好ましくないそれぞれ若しくは何れか一方の紫外線吸収剤の適用が袋本体２より低減されたことによって、紫外線吸収剤に基づくチャック機能の低下やダイスの磨耗が軽減され、チャック本来の機能を満足し、且つチャック成形ダイスの寿命が長期に渡って保持され袋体の製造コストを低減することができる。
【００１８】
【実施例１の第１変形例】
実施例１の第１変形例は、このチャック４について遮光性を有し何れか一方の紫外線吸収剤を非混入とし、何れか他方の紫外線吸収剤は前記袋本体２に対する混入割合と同等若しくは低減させて練り込んで形成される着色合成樹脂よりなるものである。
【００１９】
この実施例１の第１変形例においても、袋本体２は透明であるから内容品は袋本体２の外部から透視が可能であり、その上紫外線吸収剤を練り込んであるため紫外線がカットされ内容品を紫外線から保護される点は実施例１と同様な作用効果を有し、チャック４については、チャックにとって好ましくない何れか一方の紫外線吸収剤が非混入となり、何れか他方の紫外線吸収剤は袋本体２と同等乃至は低減されることになるが、観点を変えればこの第２変形例においては着色合成樹脂による遮光性の不備を何れか他方の紫外線吸収剤で補完するものとなる。また、チャックにとって好ましくない何れか一方の紫外線吸収剤が非混入となり、何れか他方の紫外線吸収剤は袋本体２と同等乃至は低減されたことにより、前記実施例と同様に紫外線吸収剤に基づくチャック機能の低下やダイスの磨耗が防止され、チャック本来の機能を満足し、且つチャック成形ダイスの寿命が長期に渡って保持され袋体の製造コストを低減することができる。
【００２０】
【実施例２】
図３及び図４において、１ｂは本発明の実施例２を示す合成樹脂製チャック付の袋体である。２は両側端がサイドシールされた袋本体であり、実施例１と同様に有機系の紫外線吸収剤と超微粒子金属酸化物による無機系の紫外線吸収剤とを併用して練り込んで形成される透明の熱可塑性合成樹脂フィルムよりなる。底部は折り返し若しくは接着されている。３は前記袋本体２の開口部である。
【００２１】
この実施例２における合成樹脂製チャック付の袋体１ｂの開口部３側にはチャック４と、前記開口部３の袋口の一方の口端縁５を他方の口端縁６よりも長く突出させて段差を形成し、且つ前記他方の口端縁６に厚肉条７を設けた構造で、前記チャック４並びに厚肉条７は、前記実施例１並びに実施例１の第１変形例のチャック４と同様に着色合成樹脂により形成されて遮光性を有するものであり、併せてこの実施例１並びに実施例１の第１、第２変形例で各種示された態様の一つを適宜選択して、チャック４並びに厚肉条７に対する紫外線吸収剤を適用／非適用する。
【００２２】
この実施例２は、一方の口端縁５を他方の口端縁６よりも長く突出した段差の部分を指で容易に摘むことができ、短い方の他方の口端縁６の着色の厚肉条７により段差の識別を容易にすると共に、厚肉条７によって両口端縁５、６間に間隙ができるので両口端縁５、６の密着を防ぎ常に離間状態を保たせて分離を容易にし、一方の口端縁５の段差部分を指で摘むと他方の口端縁６は厚肉条７により自然に開いて指で摘むことが頗る容易にでき、且つ厚肉条７は指先の滑り止めとなって、これらの作用によりチャック４を解脱する開口操作が極めて容易に得られる合成樹脂製チャック付の袋体１ｂにおいて、前記実施例1並びに実施例1の第1変形例と同様に袋本体２の外部から内容品の透視を可能とすると共に内容品を紫外線から保護し、チャック４部分も紫外線の入光を遮断することができる上にチャック４を成形するダイスの磨耗が防止され、且つチャック本来の機能を満足することができる。
【００２３】
【実施例３】
図５において、１ｃは本発明の実施例３を示す合成樹脂製チャック付の袋体である。この実施例３は、袋本体２を内外複層のフィルムで形成したものであり、外層２ａは単なる透明のフィルムとし、内層２ｂは有機系の紫外線吸収剤と超微粒子金属酸化物による無機系の紫外線吸収剤とを併用して練り込んで形成される透明の熱可塑性合成樹脂フィルムよりなる。この実施例３においてもチャック４は前記内層２ｂとの接着性を有し、また、着色合成樹脂により形成されて遮光性を有し、併せて実施例１並びに実施例１の第１変形例で各種示された態様の一つを適宜選択して、チャック４に対する紫外線吸収剤を適用／非適用する。
【００２４】
この実施例３は、外層２ａ及び内層２ｂの複層フィルムにより袋本体２の内容品保護機能を向上した合成樹脂製チャック付袋体１ｃにおいて、前記各実施例と同様に袋本体２の外部から内容品の透視を可能とすると共に内容品を紫外線から保護し、チャック４部分も紫外線の入光を遮断することができる上にチャック４を成形するダイスの磨耗が防止され、且つチャック本来の機能を満足することができる。なお、内層２ｂを単なる透明のフィルムとし、外層２ａに紫外線吸収剤を適用するようにしてもよいし、外層２ａと内層２ｂそれぞれに紫外線吸収剤を適用するようにしてもよいし、或いは外層２ａには有機系の紫外線吸収剤を適用し、内層２ｂには超微粒子金属酸化物による無機系の紫外線吸収剤を適用するような態様を選択してもよく、また、この逆の態様を選択してもよい。そして、このように外層２ａと内層２ｂのそれぞれに紫外線吸収剤を適用するケースにおいては、袋本体の紫外線遮断効果は外層２ａ＋内層２ｂによるものとしてとらえられ、チャック４に対する紫外線吸収剤の適用が選択される。
【００２７】
【実施例４】
実施例４はチャック４を透明合成樹脂とし、これに有機系の紫外線吸収剤と超微粒子金属酸化物による無機系の紫外線吸収剤とを混入したものであり、その混入割合は袋本体２に対する混入割合より何れか一方若しくはそれぞれについて低減させて練り込んでチャックを形成したものである。この場合においては遮光性を有する着色されたチャックと異なり、チャック本来の機能と紫外線防止機能双方に多少の問題を伴う改良とはなるが、チャック本来の機能もある程度は期待できるし、紫外線防止機能もある程度期待できるものとなり、チャック部分の着色によるコストアップを伴うことなく、このある程度で十分な、たとえば開封後比較的早期に使用される内容品の収納に供することができる。
【００２８】
本発明の適用は上記に示した各実施例に限定されるものではなく、紫外線の遮断効果が期待される各種チャック付袋体への適用が可能なものである。
【００２９】
【発明の効果】
以上詳述したように本発明によれば、チャック本来の機能を確保し、且つ内容品を袋体の外部から透視可能とした上に、チャック部分と袋本体とを紫外線遮断機能を持った内容品に対する保護性を高めた合成樹脂製チャック付の袋体を、低コストで提供することができる利点を有している。
【図面の簡単な説明】
【図１】  本発明の実施例１及び実施例１の第１変形例による合成樹脂製チャック付袋体の正面図
【図２】  図１のＡ−Ａ線断面図
【図３】  本発明の実施例２の合成樹脂製チャック付の袋体の正面図
【図４】  図３のＢ−Ｂ線断面図
【図５】  本発明の実施例３の合成樹脂製チャック付袋体の断面図
【符号の説明】
１ａ    合成樹脂製チャック付の袋体（実施例１及び実施例１の第１変形例）
１ｂ    合成樹脂製チャック付の袋体（実施例２）
１ｃ    合成樹脂製チャック付の袋体（実施例３）
２      袋本体
２ａ    外層
２ｂ    内層
３      開口部
４      チャック
５      一方の口端縁
６      他方の口端縁
７      厚肉条
【図１】
0003805709.tif 000002
【図２】
0003805709.tif 000003
【図３】
0003805709.tif 000004
【図４】
0003805709.tif 000005
【図５】
0003805709.tif 000006